(57)【特許請求の範囲】
【請求項１】
壁面（１）側に固定される本体（５）と、該本体（５）の上部に固定された背もたれ部（６）と、該背もたれ部（６）の下側に折り畳み自在に連結された座部（７）と、該座部（７）の前側に折り畳み自在に連結されたストッパー部（８）と、後端側が前記背もたれ部（６）に枢支され且つ前端側が前記ストッパー部（８）に連結された安全サークル（９）とを備え、前記座部（７）と前記安全サークル（９）とが前方に突出する使用状態と起立する折り畳み状態との間で姿勢変更自在に構成された子供用椅子において、縦長状の前記本体（５）の裏面に上下方向に形成された嵌合凹部（１９）に、該嵌合凹部（１９）の略全長にわたる上下方向の補強部材（２０）を裏面側から嵌合し、前記本体（５）の上部側に上下方向に形成された取り付け部（１６）を、前記背もたれ部（６）の裏面に形成された上下方向の取り付け凹部（１８）に裏面側から嵌合し、前記補強部材（２０）に上側から係合する係合具（２４）を、前記背もたれ部（６）を前記取り付け部（１６）に固定するボルト（３４）により前記嵌合凹部（１９）に固定し、前記座部（７）の後端に、前記本体（５）の受け部（１５）に下側から当接して前記座部（７）を前記使用状態に保持する突出部（１２）を設けたことを特徴とする子供用椅子。
【請求項２】
前記本体（５）の裏面と前記背もたれ部（６）の後端面（３０ａ）とを略面一状にすると共に、前記補強部材（２０）が前記本体（５）から裏側に突出しないようにしたことを特徴とする請求項１に記載の子供用椅子。
【請求項３】
前記本体（５）の下部側に、該本体（５）の裏面を構成する後面壁（１７ｂ）と該後面壁（１７ｂ）の幅方向の両端から前側に円弧状に張り出す前面壁（１７ａ）とを有する主体部（１７）を設け、該主体部（１７）の上端側の幅方向の略中央に、前記主体部（１７）より奥行及び幅方向の寸法が小である前記取り付け部（１６）を、該取り付け部（１６）の後端と前記本体（５）の裏面とが略面一状となるように前記背もたれ部（６）の下端近傍で連結したことを特徴とする請求項１又は２に記載の子供用椅子。
【請求項４】
前記背もたれ部（６）の上部側のナット（３３）に裏側から螺合するボルト（３４）により前記係合具（２４）を固定したことを特徴とする請求項１〜３の何れかに記載の子供用椅子。
【請求項５】
前記本体（５）に、前記取り付け部（１６）と前記主体部（１７）とに跨って前側に突出する上下方向の補強凸部（３５）を設け、前記背もたれ部（６）の裏側に前記補強凸部（３５）が嵌合する凹部（３６）を形成したことを特徴とする請求項３又は４に記載の子供用椅子。
【発明の詳細な説明】
【０００１】
【発明の属する技術分野】
本発明は、公共施設、駅、デパートの洗面所等の壁面側に設置して、子供を座らせる折り畳み式の子供用椅子に関するものである。
【０００２】
【従来の技術】
公共施設、駅、デパートの洗面所等の壁面側に設置され、子供を連れた人が洗面所等で身繕い等をする際に、子供を一時的に座らせておく場合に使用する子供用椅子において、壁面側に固定される本体と、この本体の上部に固定された背もたれ部と、背もたれ部の下側に連結部を介して折り畳み自在に連結された座部と、座部の前側に折り畳み自在に連結されたストッパー部と、後端側が背もたれ部に枢支され且つ前端側がストッパー部に枢支された安全サークルとを備え、座部と安全サークルとを前方に突出する使用状態と背もたれ部に沿って起立する折り畳み状態との間で姿勢変更自在にしたものがある。
【０００３】
【発明が解決しようとする課題】
この子供用椅子は、通常左右の壁面間の入り隅に、又は一方の壁面に沿うようにして、本体を壁面等にボルト、ナット等により固定して設置される。その際、かなり狭いスペースに設置される場合もあり、子供用椅子の入り隅又は壁面から前側への突出量はなるべく少ないことが望ましい。また子供を安全に座らせておくためには、本体の形状、本体の壁面等への取り付け構造及び本体と背もたれ部との固定構造を、子供の体重に十分耐え得るだけの強度、繰り返しの使用に耐え得るだけの耐久性等を備えたものにする必要がある。
【０００４】
しかし従来の子供用椅子は、その強度を確保するために本体が大型化されており、入り隅又は壁面から前側への突出量が大きくなっている。即ち、本体の上部側に、その下部側よりも前側に突出する取り付け部が設けられると共に、その取り付け部の前側に背もたれ部が固定されており、入り隅又は壁面から背もたれ部、座部等が前側に大きく突出する構造となっている。従って、狭いスペースに設置した場合には、人の出入り、通行等の障害になるといった問題がある。
【０００５】
また荷重のかかる座部が本体と壁面との固定位置から前側に大きく突出していることにより、荷重のかかる位置とその固定位置との距離が大きくなってしまう。座部にかかる荷重は連結部、背もたれ部等を介して本体の上部側を前側に倒すように作用するが、その作用力は荷重のかかる位置と壁面への固定位置との距離に応じて大きくなる。従って、その距離が大きい場合には、本体と壁面との固定が緩んでガタついたり、その固定が外れて転倒するといった惧れがある。
【０００６】
また本体の奥行を小さくする替わりに、左右幅を大きくすることによりその強度を確保するようにした子供用椅子もある。この子供用椅子は、一方の壁面に沿って設置した場合には前側への突出量が小さく、狭いスペースに設置しても邪魔になることがない。しかし、入り隅を挟む左右の壁面に設置した場合には、本体の左右幅が大きいため、入り隅から前側への突出量が大きくなってしまう。
【０００７】
本発明は、かかる従来の問題点に鑑み、本体を大型化することなくその強度、耐久性等を十分に確保でき、本体を壁面等に固定した場合にも、前側への突出量を少なくできて邪魔になることがなく、しかも本体と壁面等との固定位置にかかる負担を少なくして安全に使用できる子供用椅子を提供することを目的とする。
【０００８】
【課題を解決するための手段】
本発明は、壁面１側に固定される本体５と、該本体５の上部に固定された背もたれ部６と、該背もたれ部６の下側に折り畳み自在に連結された座部７と、該座部７の前側に折り畳み自在に連結されたストッパー部８と、後端側が前記背もたれ部６に枢支され且つ前端側が前記ストッパー部８に連結された安全サークル９とを備え、前記座部７と前記安全サークル９とが前方に突出する使用状態と起立する折り畳み状態との間で姿勢変更自在に構成された子供用椅子において、縦長状の前記本体５の裏面に上下方向に形成された嵌合凹部１９に、該嵌合凹部１９の略全長にわたる上下方向の補強部材２０を裏面側から嵌合し、前記本体５の上部側に上下方向に形成された取り付け部１６を、前記背もたれ部６の裏面に形成された上下方向の取り付け凹部１８に裏面側から嵌合し、前記補強部材２０に上側から係合する係合具２４を、前記背もたれ部６を前記取り付け部１６に固定するボルト３４により前記嵌合凹部１９内に固定し、前記座部７の後端に、前記本体５の受け部１５に下側から当接して前記座部７を前記使用状態に保持する突出部１２を設けたものである。
【０００９】
【発明の実施の形態】
以下、本発明の一実施形態を図面に基づいて詳述する。図面は本発明の一実施形態を例示し、図１において、１は建造物等の壁面、２は壁面１に挟まれた入り隅、３は床面である。４は子供用椅子であり、入り隅２を挟む左右の壁面１、又は一方の壁面１に沿って配置されて固定されている。
【００１０】
子供用椅子４は、図２〜図６に示すように、入り隅２において左右の壁面１等に固定された本体５と、この本体５の上部に固定された背もたれ部６と、背もたれ部６の下側に折り畳み自在に連結された座部７と、座部７の前側に折り畳み自在に連結されたストッパー部８と、後端側が背もたれ部６に枢支され且つ前端側がストッパー部８に枢支された安全サークル９とを備え、座部７、安全サークル９が前方に突出する使用状態（図１（ａ）参照）と、座部７、ストッパー部８及び安全サークル９が背もたれ部６に沿って起立する折り畳み状態（図１（ｂ）参照）との間で姿勢変更自在に構成されている。
【００１１】
本体５、背もたれ部６、座部７、ストッパー部８及び安全サークル９は、ＡＢＳ樹脂、ＦＲＰ、ポリプロピレン等の合成樹脂製であり、本体５は、図８〜図１３に示すように、ブロー成型法等により中空状に成型され、安全サークル９は射出成型法により成型されている。背もたれ部６、座部７及びストッパー部８は、図５、図２０及び図２１に示すように、ブロー成型法等により中空状に成型されると共に、屈曲自在な第１連結部１０、第２連結部１１を介して一体に成型されており、その第１連結部１０、第２連結部１１の屈曲により使用状態と折り畳み状態とに屈曲自在である。
【００１２】
そして、座部７、安全サークル９等は、座部７の下側から第１連結部１０の下側近傍を経て後方に突出する突出部１２と、この突出部１２が第１連結部１０から後方に離れた位置で下側から当接する本体５側の受け部１５とによって使用状態に保持可能であり、また安全サークル９の後端側で背もたれ部６との間に設けられた姿勢保持機構５１（図１８及び図１９参照）により使用状態及び折り畳み状態に保持可能である。
【００１３】
本体５は縦長状であって、図３、図５及び図１５に示すように、上部側に背もたれ部６用の取り付け部１６を、この取り付け部１６の下側に前側に突出する主体部１７を夫々備え、その裏面には取り付け部１６と主体部１７とに跨って上下方向の略全長にわたる嵌合凹部１９が形成されており、この嵌合凹部１９に上下方向の補強部材２０が裏側から着脱自在に嵌合されて補強されている。そして本体５は、入り隅２に配置したときにその両側縁が左右の壁面１に近接又は接触するように、主体部１７側の左右両側縁が略平行であり、また片側の壁面１等に沿って配置したときに裏面側がその壁面１等に近接又は接触するように、上下方向の全体にわたって平面状に構成されている。
【００１４】
取り付け部１６は、図８〜図１１及び図１３に示すように、上壁部１６ａ、左右両側の側壁部１６ｂ及び前壁部１６ｃにより後側に開放する横断面コ字状の縦長に構成され、上壁部１６ａ、側壁部１６ｂ、前壁部１６ｃ間に嵌合凹部１９が形成されている。上壁部１６ａ及び側壁部１６ｂは略均一の肉厚を有する中空状に構成され、その内部の空間は上壁部１６ａと側壁部１６ｂとに跨って連続状に形成されている。また前壁部１６ｃは中実状に構成されており、背もたれ部６との取り付け強度を十分に確保できるようになっている。なお、前壁部１６ｃの肉厚は、上壁部１６ａ及び側壁部１６ｂの肉厚と略同じ、又は若干厚い程度となっている。
【００１５】
取り付け部１６は、図５、図７及び図１５に示すように、本体５の左右方向の略中央にあり、左右幅が主体部１７よりも狭く、前後厚さが主体部１７よりも薄くなっている。この取り付け部１６は、背もたれ部６の裏側に形成された取り付け凹部１８に裏側から嵌合されて、その上端側のボルト３４により背もたれ部６に着脱自在に固定されている。このボルト３４は左右に２個あり、背もたれ部６の取り付け凹部１８内に埋設されたナット３３に裏側から螺合されている。取り付け凹部１８は、背もたれ部６の裏面側の平坦面（後端面）３０ａの下部側に、横断面コの字状の前側凹入状、且つ下側開放状に形成されており、その平坦面３０ａと本体５の裏面とが略面一状となっている。
【００１６】
主体部１７は、図２〜図５及び図８〜図１３に示すように、背もたれ部６の下側で前側に露出する部分の略全体に設けられ、前側へと円弧状に張り出す横断面略半円状に形成されている。この主体部１７は縦長状で、下端部が床面３に直接又は間接的に当接されると共に、上端が背もたれ部６の下端近傍に配置され、その上端の幅方向の略中央に取り付け部１６が一体に、且つ取り付け部１６の後端と主体部１７の裏面とが略面一状となるように連結されている。
【００１７】
また主体部１７は、略平面状の本体５の裏面を形成する後面壁１７ｂと、この後面壁１７ｂの左右両端から前側に張り出す横断面円弧状の前面壁１７ａと、前面壁１７ａ及び後面壁１７ｂとその下端側で一体化されて本体５の底面を構成する底面壁１７ｃとを備え、中空状に構成されている。この主体部１７内の空間は取り付け部１６の側壁部１６ｂ内の空間と連続しており、本体５が全体としてその内部に連続状に空間を有する中空状に構成されている。なお、主体部１７の前面壁１７ａ、後面壁１７ｂ及び底面壁１７ｃは略均一の肉厚に構成されており、その肉厚は取り付け部１６の上面壁１６ａ及び側面壁１６ｂの肉厚と略同じになっている。
【００１８】
主体部１７の後面壁１７ｂには、その幅方向の略中央が前向きに断面コ字状に凹まされて、嵌合凹部１９が取り付け部１６と連続状に形成されている。従って、嵌合凹部１９は本体５の上下方向の略全長にわたり、取り付け部１６と主体部１７とに跨って連続状に形成されている。なお、嵌合凹部１９は下側が開放状となっている。また主体部１７側の嵌合凹部１９内には、本体５を補強する補強部１９ａが上下方向に複数個（例えば４個）形成されている。各補強部１９ａは、上下及び左右にその中央向き且つ前向きに傾斜する傾斜壁１９ｂを備え、その傾斜壁１９ｂを介して前面壁１７ａと後面壁１７ｂとが合体されている。
【００１９】
また取り付け部１６と主体部１７との連結部近傍には、図９〜図１１、図１３及び図１５に示すように、補強突部１５ａ、補強凸部３５、下側補強部１５ｂ、補強部２５が形成されており、本体５が補強されている。
【００２０】
即ち、主体部１７の前面壁１７ａには、その上端側に凹入部１４が形成され、その凹入部１４の上端に、取り付け部１６の前壁部１６ｃよりも前側に突出する補強突部１５ａが横方向に形成されている。なお、この補強突部１５ａの下側が受け部１５となっている。また凹入部１４は、嵌合凹部１９の内前面から裏側に突出するように形成されている。
【００２１】
補強凸部３５は、取り付け部１６と主体部１７とに跨って上下方向に設けられ、その下端が補強突部１５ａと一体に接続されており、取り付け部１６の前壁部１６ｃから一体に前側に突出している。また補強凸部３５は左右方向の適当箇所に１又は複数、例えば前壁部１６ｃの左右両端部に２個あり、この各補強凸部３５が嵌合する凹部３６が、図１４に示すように、背もたれ部６の裏側の下部に２個形成されている。なお、補強凸部３５は中実状に構成されている。
【００２２】
下側補強部１５ｂは，補強突部１５ａを挟んで補強凸部３５の下側に、前側に突出するように設けられている。従って、補強突部１５ａはその上下両側を補強凸部３５と下側補強部１５ｂとにより補強されている。また下側補強部１５ｂの突出量は、補強突部１５ａの突出量よりも小となっている。なお、下側補強部１５ｂの裏側には、嵌合凹部１９の内前面から凹入部１４が突出しておらず、補強部材２０用の通路２０ａが形成されている。補強部２５は，嵌合凹部１９の左右両側に、補強凸部３５、下側補強部１５ｂよりも外側で、後面壁１７ｂと前面壁１７ａとを前後に一体に連結して補強するように形成されている。なお、この補強部２５は後面壁１７ｂから前側に凹入している。
【００２３】
補強部材２０は、図３及び図５に示すように、上下方向の柱状の鋼材等からなり、前側に開放する横断面コ字状に構成されており、取り付け部１６と主体部１７とに跨って嵌合凹部１９内に、その取り付け部１６側の上端部を除いて上下方向に裏側から嵌合されている。また補強部材２０は、本体５の裏面と略面一状又は本体５の裏面から少なくとも裏側へ突出しないように設けられている。この補強部材２０には上端部に係合部２１が設けられ、この係合部２１に、本体５の取り付け部１６の嵌合凹部１９内に固定された係合具２４が上側から係脱自在に係合されている。係合部２１は、補強部材２０の上端部でその前端部を連結するように溶接等により固定された帯板状の鋼板等によって構成されている。また係合具２４は、本体５に背もたれ部６の取り付け用のボルト３４により共締め状態で固定された鋼板等により構成されている。従って、背もたれ部６側の荷重は本体５で支持されると共に、その上下方向の略中央部よりも若干上側で係合具２４を介して補強部材２０により支持されている。
【００２４】
補強部材２０には、背もたれ部６の下側近傍に対応して左右方向に壁面取り付け板２２が、下端に主体部１７に対応する略半円状の床面取り付け板２３が夫々溶接等により固定されている。そして、本体５は、背もたれ部６の下側近傍で主体部１７の左右両側部に挿通され且つ壁面取り付け板２２の両端側の切り欠き部２２ａを貫通するボルト２６により、入り隅２側の壁面１に固定されたコーナー取り付け具（図示略）に着脱自在に取り付けられると共に、主体部１７の下端部に上側から床面取り付け板２３を貫通するボルト２７により、床面３側に埋め込まれたアンカーナット（図示略）に着脱自在に取り付けられている。従って、主体部１７は、その下端部が床面取り付け板２３を介して間接的に床面３に当接されている。なお、ボルト２７は、主体部１７の前端中央部に設けられている。また床面取り付け板２３は、その後部側の左右一対のボルト２８により床面３側のアンカーナット（図示略）に螺合されている。なお、床面取り付け板２３を設けずに本体５の底面が床面３に直接当接するように構成しても良い。
【００２５】
背もたれ部６は、図２〜図７及び図２０に示すように、正面視形状が下端縁３７を除いて略縦長楕円状であって、前面壁２９及び後面壁３０がその周縁側で一体化され且つ略全体が略均一な肉厚の中空状に成型されている。また背もたれ部６は、座部７上の子供がもたれ易いように背もたれ面２９ａを形成する前面壁２９が後ろ上がりに湾曲すると共に、前側に円弧状に湾曲する湾曲縁部３１が左右両側に、前側に円弧状に湾曲する下湾曲部３２が下端縁３７の上側近傍に夫々設けられ、その湾曲縁部３１の上側の段部３１ａに安全サークル９の後端側が配置されている。背もたれ部６の後面壁３０は、図３〜図７及び図１４に示すように、その中央部分が本体５及び壁面取り付け板２２の後面と略面一状に形成された平坦面３０ａとなっており、この平坦面３０ａの周辺は左右の湾曲縁部３１の裏側から平坦面３０ａに向かって後ろ窄まり状となっている。なお、ナット３３は背もたれ部６の前面壁２９と後面壁３０とに跨がって埋設されている。
【００２６】
座部７は、図２〜図６及び図２０に示すように、平面視形状が後端縁３８を除いて略円形状であって、上面壁４３及び下面壁４４がその周縁側で一体化され且つ略全体が背もたれ部６側と略同一の略均一な肉厚の中空状に成型されている。上面壁４３には、子供が座り易くなるように中央部分に左右方向の長円状の座凹部４３ａが形成されている。下面壁４４は中央が低くなる球面状に形成されると共に、後部側に後端縁３８に向かって後ろ上がりに傾斜する傾斜部４４ａが形成され、この傾斜部４４ａに突出板４５の前部側がネジ４６により着脱自在固定されている。
【００２７】
背もたれ部６の下端縁３７と座部７の後端縁３８は、図２０に示すように略同一長さで左右方向に略平行に略一直線状に成型され、安全サークル９の後端部間の間隔よりも若干短い程度に左右方向に十分な長さを有し、その両者の略全長にわたって第１連結部１０が一体に成型されている。第１連結部１０は、図１６及び図２０に示すように、背もたれ部６及び座部７と略同一の略均一な厚さを有し、下方に円弧状に湾曲して背もたれ部６の前面側と座部７の上面側とを連結するように一体に成型されている。第１連結部１０の左右両端部には、継続的な屈曲変形による亀裂の発生を防止するために、その連結方向の全長にわたって突条部１０ａが一体に成型されている。なお、第１連結部１０は、成型時点において円弧状に湾曲している。
【００２８】
突出板４５は、図４、図５、図１４、図２０及び図２１に示すように、前部側が座部７の傾斜部４４ａに対応する略半円状であり、後部側が後方に円弧状に突出する略逆半円状であって、座部７の後端縁３８の下側に対応する両半円部分の中間の第１折曲部４５ａで、使用状態のときに第１連結部１０の下を経て背もたれ部６の下湾曲部３２の下面近傍側に沿うように下側に折り曲げられ、後端側が第１連結部１０よりも後方に十分離間した位置で受け部１５に略面接触状に接触するように、その受け部１５の前端近傍の第２折曲部４５ｂで更に下側に折り曲げられている。従って、突出板４５は第１折曲部４５ａと第２折曲部４５ｂとで同一側に２段階に折り曲げられており、その後端側が受け部１５に当接する突出部１２となっている。
【００２９】
なお、突出板４５の第１連結部１０に対応する部分の左右幅は、第１連結部１０の湾曲部分に下側から接触又は近接して第１連結部１０をその左右方向の略全体で下側から覆うように、第１連結部１０の左右方向の長さと略同程度になっている。
【００３０】
本体５の受け部１５は、図５及び図１５に示すように、その取り付け部１６と主体部１７との境界部分において、背もたれ部６の前側に湾曲する下湾曲部３２の後端側から後ろ下がりに傾斜状に形成され、第１連結部１０から後方に十分離間した位置で左右方向に配置されている。また本体５には、使用状態と折り畳み状態とに姿勢変更する際に突出板４５との干渉を避けるための凹入部１４が受け部１５の下側に形成されている。この凹入部１４は、後方に円弧状に突出する突出板４５の軌道に対応して下後方に凹入し、且つ折り畳み状態のときに突出板４５によって略塞がれるように主体部１７の上端側に設けられている。なお、突出板４５の後端側の突出部１２は、図２１に示すように、折り畳み状態のときに凹入部１４の前端から前に出ない程度の角度になっている。
【００３１】
ストッパー部８は、子供が股間に挟んで落下を防止するためのものであって、図２及び図４〜図６に示すように、正面視において縦長の長円状又は帯状等に構成され、前面壁３９及び後面壁４０がその周縁側で一体化され且つ略全体が背もたれ部６及び座部７側と略同一の略均一な肉厚の中空状に成型されている。なお、ストッパー部８は、側面視において若干前側に湾曲状になっている。
【００３２】
ストッパー部８は、図５及び図２０に示すように、第２連結部１１を介して座部７の前側に一体に成型されている。第２連結部１１は、図１７及び図２０に示すように、ストッパー部８の下端部側と略同一幅又は若干狭い程度の左右幅を有し、座部７側の肉厚部４１ａと、ストッパー部８側の肉厚部４１ｂと、これらの間の屈曲部４１ｃとにより構成され、その屈曲部４１ｃで屈曲するようになっている。座部７側の肉厚部４１ａは、座部７の上面壁４３の前端から前方に突設され、ストッパー部８側の肉厚部４１ｂは、ストッパー部８の下部の前後の厚さ方向の略中央部から下方に突設されている。
【００３３】
ストッパー部８の下部には、使用状態のときに座部７の前端よりも後方に膨らむ膨らみ部８ａが幅方向の中央部分に形成され、またこの膨らみ部８ａの下側が、座部７との間に十分な空間を確保するように後ろ上がりに傾斜状に形成されている。第２連結部１１の屈曲部４１ｃは、その厚さ方向の両側の凹部により薄肉状に形成されており、継続的な屈曲変形による亀裂の発生を防止するために、屈曲部４１ｃの左右両側に各肉厚部４１ａ，４１ｂと略同一厚さの突条部４１ｄが設けられている。なお、第２連結部１１は、その座部７側の肉厚部４１ａとストッパー部８側の肉厚部４１ｂとが略一直線状となる状態で成型されている。また肉厚部４１ａ，４１ｂは座部７及びストッパー部８の肉厚と略同程度である。
【００３４】
安全サークル９は座部７上の子供の胴を取り囲んで脱落を防止するためのもので、図６及び図１８に示すように、前部がストッパー部８側へと内側に円弧状に湾曲する左右一対のアーム４７を備え、その前端側がボルト（枢軸）４８を介してストッパー部８の左右両側に回動自在に連結され、後端側が背もたれ部６の左右の段部３１ａ側でボルト（枢軸）４９及び姿勢保持機構５１を介して背もたれ部６に回動自在に連結されている。即ち、各アーム４７の前端側にはボルト４８が埋設され、そのボルト４８がストッパー部８の左右両側に埋め込まれたナット５０に逆方向に螺合されている。アーム４７の後端部には枢支孔５２が形成され、その枢支孔５２にボルト４９に套嵌されたカラー５３が挿通されている。ボルト４９は背もたれ部６側に埋め込まれたナット５４に螺合され、接着剤等で回動不能にナット５４に固定されている。
【００３５】
姿勢保持機構５１は安全サークル９を使用状態と折り畳み状態とに保持するためのもので、図１８及び図１９に示すように、背もたれ部６側に形成された使用状態用及び折り畳み状態用の保持凹部５５と、アーム４７側に形成され且つ安全サークル９を使用状態及び折り畳み状態にしたときに保持凹部５５に択一的に嵌脱自在に嵌合する保持凸部５６と、枢支孔５２内でカラー５３に套嵌され且つボルト４９の頭部４９ａとの間でアーム４７を背もたれ部６側に押圧するコイルバネ等の圧縮バネ５８とを備えている。保持凸部５６はボルト４９の軸対称に２個あり、保持凹部５５はその保持凸部５６に対応して４個ある。なお、保持凹部５５を安全サークル９側に、保持凸部５６を背もたれ部６側に設けても良い。
【００３６】
上記構成の子供用椅子を入り隅２を挟む左右両壁面１に設置する際には、まずコーナー取り付け具を壁面１に固定し、アンカーナットを床面３の所定位置に埋め込んでおく。そして、補強部材２０を所定位置に配置し、床面取り付け板２３の後端の左右両側をボルト２８により床面３に固定する。これによって補強部材２０を床面３に確実に固定でき、取り付け作業中に補強部材２０が転倒するといった惧れがなくなる。
【００３７】
次に、本体５の取り付け部１６を背もたれ部６の取り付け凹部１８に嵌め込み、係合具２４と本体５の取り付け部１６と背もたれ部６とをボルト３４により固定する。そして、本体５の裏面の嵌合凹部１９に補強部材２０を嵌合させて、本体５を上側から補強部材２０に沿ってスライドさせると、補強部材２０の係合部２１に係合具２４が上側から係合し、補強部材２０に本体５を固定できる。その後、本体５の主体部１７の上側の左右両側と補強部材２０の壁面取り付け板２２とをボルト２６によりコーナー取り付け具に共締めで固定し、本体５と補強部材２０の床面取り付け板２３とをボルト２７により床面３に共締めで固定する。
【００３８】
このように本体５と補強部材２０とを共締めによって壁面１及び床面３に固定することにより、ボルトを締める箇所が少なくなるので、設置作業を簡単且つ迅速に行うことができる。また本体５を取り外す必要があるときは、共締めされている部分のみのボルト２６，２７を外せば本体５を簡単に取り外すことができる。このとき、補強部材２０の床面取り付け板２３が後側の２箇所で単独に床面３に固定されているので、補強部材２０は床面３に固定したままでよく、補強部材２０が転倒するといった惧れもない。
【００３９】
またこの子供用椅子を一方の壁面１に沿って設置する場合には、コーナー取り付け具を介さずに、例えば壁面１に埋め込んだナットにボルト２６を螺合して取り付ければ良い。その際、本体５、背もたれ部６及び／又は補強部材２０を壁面に当接させても良いし、所定の隙間を設けて壁面１と平行に設置しても良い。
【００４０】
このように設置された子供用椅子は通常、座部７とストッパー部８と安全サークル９とを背もたれ部６に沿って起立する折り畳み状態にして、姿勢保持機構５１により折り畳み状態に保持しておく。このとき、折り畳み状態用の保持凹部５５に保持凸部５６が嵌合するため、簡単な姿勢保持機構５１により座部７等を折り畳み状態に確実に保持できる。
【００４１】
子供を座らせるために使用する際は、座部７の前側を持って前側に引くようにして突出部１２が受け部１５に当接するまで下側に倒せばよく、簡単に使用状態に姿勢変更できる。この使用状態では突出部１２が受け部１５に当接するので、座部７がそれ以上下がることはない。また使用状態用の保持凹部５５に保持凸部５６が嵌合するため、簡単な姿勢保持機構５１により座部７等を使用状態に確実に保持できる。
【００４２】
このような簡単な操作で使用状態に姿勢変更できるので、子供を抱きながら片手で操作することも可能である。また使用状態から折り畳み状態に折り畳むときも座部７を持って、姿勢保持機構５１の保持凸部５６が保持凹部５５に嵌合するまで上方に持ち上げるだけでよいので、片手で簡単に操作できる。
【００４３】
この子供用椅子は、本体５を縦長状に構成し、背もたれ部６の裏面に形成された取り付け凹部１８に、本体５の上部側の取り付け部１６を嵌合し、本体５の裏面にその上下方向の略全長にわたって形成された嵌合凹部１９に、その嵌合凹部１９の略全長にわたって補強部材２０を嵌合したので、本体５を大型化することなく、その裏面の補強部材２０によって強度、耐久性等を十分に確保でき、前側への突出量を少なくできて狭いスペースに設置しても邪魔になることがない。即ち、本体５の幅、奥行共に小さくすることが可能となるので、入り隅２を挟む左右の壁面１に設置する場合、一方の壁面１に沿って設置する場合、その両者において前側への突出量を少なくできる。
【００４４】
また本体５と背もたれ部６、本体５と補強部材２０との嵌合構造により、荷重のかかる位置から本体５と壁面１との固定位置までの距離を短くでき、その固定位置にかかる負担を少なくして安全に使用することができる。しかも、その嵌合構造によって夫々を安定的に固定することができる。
【００４５】
本体５の裏面と背もたれ部６の平坦面３０ａとを略面一状にすると共に、補強部材２０が本体５から裏側に突出しないようにしたので、入り隅２又は壁面１からの突出量を少なくできる。一方の壁面１に沿って設置する際には、とりわけその突出量を少なくできると共に、子供用椅子の裏面側の略全体を壁面１に当接又は近接させて略平行に設置できるので、見た目が良い。
【００４６】
本体５の下部側に、本体５の裏面を構成する後面壁１７ｂとその後面壁１７ｂの幅方向の両端から前側に円弧状に張り出す前面壁１７ａとを有する主体部１７を設け、主体部１７の上端側の幅方向の略中央に、主体部１７より奥行及び幅方向の寸法が小である取り付け部１６を、その後端と本体５の裏面とが略面一状となるように背もたれ部６の下端近傍で連結したので、下部側の主体部１７で本体５の強度を十分に確保できるにもかかわらず、上部側の入り隅２又は壁面１からの突出量を少なくできる。また上部側の形状をスマートにできて見た目が良い。
【００４７】
補強部材２０の上端側の係合部２１に、嵌合凹部１９内で本体５の上端側に固定された係合具２４を上側から係脱自在に係合したので、補強部材２０を床面３に固定した状態で簡単に本体５を取り外すことができる。特に係合具２４が本体５と背もたれ部６とを固定するボルト３４により共締め状に固定されているので、背もたれ部６、座部７等にかかる荷重を本体５のみではなく、補強部材２０でも受けることができ、強度、耐久性等を十分に確保できる。
【００４８】
本体５に、取り付け部１６と主体部１７とに跨って前側に突出する上下方向の補強凸部３５を設け、背もたれ部６の裏側に補強凸部３５が嵌合する凹部３６を形成したので、本体５の取り付け部１６と主体部１７との連結部近傍を補強できて強度、耐久性等を十分に確保できると共に、補強凸部３５と凹部３６との嵌合構造により前側への突出量を少なくできる。
【００４９】
本体５を中空状に構成したので、十分な強度を確保できるにもかかわらず、軽量に構成できる。とりわけ、その内部空間を本体５全体にわたって連続状に形成したので、ブロー成型法等によって容易に成型可能である。しかも本体５の略全体で略均一の肉厚に構成したので、成型後の硬化速度を略均一にできて製造の能率を向上できる。
【００５０】
以上、本発明の一実施形態を例示したが、本発明はこの実施形態に限定されるものではなく種々の変更が可能である。例えば実施形態では、本体５を取り付け部１６と主体部１７とによって構成しているが、本体５を上下方向の略全長にわたって略同一奥行、略同一幅にしても良い。この場合にも補強部材２０により本体５が補強されているので、全体の奥行及び／又は幅を小さくしても十分な強度を確保できる。
【００５１】
実施形態では、本体５の裏面と背もたれ部６の平坦面３０ａとが略面一状となっているが、背もたれ部６の裏面の取り付け凹部１８に本体５の上部側の取り付け部１６が嵌合する構造であれば、必ずしも面一状とする必要はない。この場合にも、嵌合構造により前側への突出量を少なくすることができると共に、本体５と背もたれ部６とを安定的に固定できる。
【００５２】
実施形態では、補強部材２０の裏面が本体５の裏面と略面一状又は少なくとも突出しないようになっているが、突出するように構成しても良い。この場合にも嵌合構造により前側への突出量を少なくすることができると共に、本体５を補強部材２０により安定的に補強できる。
【００５３】
本体５に固定された係合具２４と補強部材２０の係合部２１との係合構造は適宜変更可能である。例えば横断面コ字状の補強部材２０の側板部に、本体５の嵌合凹部１９の内側面の左右両側に固定された係合具２４が上側から係合するように構成しても良い。この場合、適宜突起等を設けて、本体５と補強部材２０との前後方向の相対移動を規制すれば良い。なお、本体５と補強部材２０との上部側の固定構造は、必ずしも係合による必要はなくボルト、ナット等によって固定しても良い。
【００５４】
補強部材２０は横断面コ字状以外にも、例えば略四角柱状、略円柱状等の形状にしても良い。さらに補強部材２０を上下方向及び／又は左右方向に複数個設けても良い。その場合、本体５の裏面に上下方向及び／又は左右方向に複数の嵌合凹部１９を設けても良いし、１の嵌合凹部１９内に複数の補強部材２０を嵌合しても良い。即ち、補強部材２０は、本体５の裏面にその上下方向の略全長にわたって形成された嵌合凹部２０に、その略全長にわたって嵌合して、本体５を補強していれば良い。
【００５５】
実施形態では、本体５、背もたれ部６、座部７及びストッパー部８を中空状に構成しているが、中実状に構成しても良い。ただし、この場合、全体として重くなるので、安全性を考慮して、各連結部１０，１１の強度、壁面１及び床面３への固定の強度、本体５と背もたれ部６との固定の強度等を高める必要がある。しかも、合成樹脂材料の使用量が増えてコストアップするので、あまり好ましくない。
【００５６】
実施形態では、背もたれ部６と座部７とストッパー部８とを屈曲可能な連結部１０，１１を介して一体成型しているが、夫々別体に成型して枢軸を介して折り畳み自在に連結するようにしても良い。
【００５７】
実施形態では、座部７の下面に突出板４５を固定し、この突出板４５が本体５に形成した受け部１５に当接して座部７を使用状態に保持するように構成したが、その他の構成にしても良い。例えば、背もたれ部６の下面と座部７の後面とに後ろ下がりの傾斜面を形成して、それらが使用状態のときに面接触して使用状態を保持するように構成しても良い。ただし、この場合は、第１連結部１０を引っ張る力が作用するので、第１連結部１０を引っ張り強度の大きい構成にする必要がある。
【００５８】
本体５及び補強部材２０は実施形態に例示の材質に限られたものではなく、加工成型が可能で十分に強度を有する材質であれば良く、適宜変更可能である。また実施形態では、背もたれ部６、座部７、ストッパー部８及び安全サークル９を合成樹脂により成型しているが、その材質は、加工成型が可能で強度が十分であれば、例えば木材等を用いることも可能であり、適宜決定すれば良い。
【００５９】
【発明の効果】
本発明では、壁面１側に固定される本体５と、該本体５の上部に固定された背もたれ部６と、該背もたれ部６の下側に折り畳み自在に連結された座部７と、該座部７の前側に折り畳み自在に連結されたストッパー部８と、後端側が背もたれ部６に枢支され且つ前端側がストッパー部８に連結された安全サークル９とを備え、座部７と安全サークル９とが前方に突出する使用状態と起立する折り畳み状態との間で姿勢変更自在に構成された子供用椅子において、縦長状の本体５の裏面に上下方向に形成された嵌合凹部１９に、該嵌合凹部１９の略全長にわたる上下方向の補強部材２０を裏面側から嵌合し、本体５の上部側に上下方向に形成された取り付け部１６を、背もたれ部６の裏面に形成された上下方向の取り付け凹部１８に裏面側から嵌合し、補強部材２０に上側から係合する係合具２４を、背もたれ部６を取り付け部１６に固定するボルト３４により嵌合凹部１９内に固定し、座部７の後端に、本体５の受け部１５に下側から当接して座部７を使用状態に保持する突出部１２を設けているので、本体５を大型化することなくその強度、耐久性等を十分に確保でき、本体５を壁面１等に固定した場合にも、前側への突出量を少なくできて邪魔になることがなく、しかも本体５と壁面１等との固定位置にかかる負担を少なくして安全に使用できる。
【図面の簡単な説明】
【図１】本発明の一実施形態を例示する子供用椅子の設置状況の斜視図である。
【図２】本発明の一実施形態を例示する子供用椅子の正面図である。
【図３】本発明の一実施形態を例示する子供用椅子の背面図である。
【図４】本発明の一実施形態を例示する子供用椅子の側面図である。
【図５】本発明の一実施形態を例示する子供用椅子の断面図である。
【図６】本発明の一実施形態を例示する子供用椅子の平面図である。
【図７】本発明の一実施形態を例示する要部の分解断面図である。
【図８】本発明の一実施形態を例示する本体の背面図である。
【図９】本発明の一実施形態を例示する図８のＡ−Ａ断面図である。
【図１０】本発明の一実施形態を例示する図８のＢ−Ｂ断面図である。
【図１１】本発明の一実施形態を例示する図８のＣ−Ｃ断面図である。
【図１２】本発明の一実施形態を例示する図８のＤ−Ｄ断面図である。
【図１３】本発明の一実施形態を例示する本体の要部の一部破断斜視図である。
【図１４】本発明の一実施形態を例示する背もたれ部の背面図である。
【図１５】本発明の一実施形態を例示する本体の要部の正面図である。
【図１６】本発明の一実施形態を例示する第１連結部の拡大断面図である。
【図１７】本発明の一実施形態を例示する第２連結部の拡大断面図である。
【図１８】本発明の一実施形態を例示する姿勢保持機構の断面図である。
【図１９】本発明の一実施形態を例示する背もたれ部の姿勢保持機構側の側面図である。
【図２０】本発明の一実施形態を例示する背もたれ部、座部及びストッパー部の展開図である。
【図２１】本発明の一実施形態を例示する折り畳み状態の断面図である。
【符号の説明】
１  壁面
５  本体
６  背もたれ部
７  座部
８  ストッパー部
９  安全サークル
１６  取り付け部
１７  主体部
１７ａ  前面壁
１７ｂ  後面壁
１８  取付凹部
１９  嵌合凹部
２０  補強部材
２１  係合部
２４  係合具
３０ａ  平坦面
３５  補強凸部
３６  凹部
【図１】
0003785354.tif 000002
【図２】
0003785354.tif 000003
【図３】
0003785354.tif 000004
【図４】
0003785354.tif 000005
【図５】
0003785354.tif 000006
【図６】
0003785354.tif 000007
【図７】
0003785354.tif 000008
【図８】
0003785354.tif 000009
【図９】
0003785354.tif 000010
【図１０】
0003785354.tif 000011
【図１１】
0003785354.tif 000012
【図１２】
0003785354.tif 000013
【図１３】
0003785354.tif 000014
【図１４】
0003785354.tif 000015
【図１５】
0003785354.tif 000016
【図１６】
0003785354.tif 000017
【図１７】
0003785354.tif 000018
【図１８】
0003785354.tif 000019
【図１９】
0003785354.tif 000020
【図２０】
0003785354.tif 000021
【図２１】
0003785354.tif 000022